(57)【要約】【課題】円筒状容器の内部に収納した封入物が内部移動することによって、円筒状の容器の転がり抵抗に与える影響を評価するための装置や方法を提供する。【解決手段】転がり抵抗の評価装置が、二つ以上の円筒状容器と傾斜台からなる転がり抵抗の評価装置であって、前記円筒状容器は、相互に実質的に同一の形状および材質からなり、同一種類の封入物を、実質的に同一の空隙率で封入され、少なくとも一つの前記円筒状容器は、複数の容器内部空間に区画する仕切りを有し、前記円筒状容器は、相互に異なる前記容器内部空間を有することを特徴とする。【選択図】図２
2011089809.tif 000002
【特許請求の範囲】
【請求項１】
二つ以上の円筒状容器と傾斜台からなる転がり抵抗の評価装置であって、
前記円筒状容器は、相互に実質的に同一の形状および材質からなり、
同一種類の封入物を、実質的に同一の空隙率で封入され、
少なくとも一つの前記円筒状容器は、複数の容器内部空間に区画する仕切りを有し、
前記円筒状容器は、相互に異なる前記容器内部空間を有することを特徴とした転がり抵抗評価装置。
【請求項２】
前記仕切りは、前記円筒状容器の中心軸を通過して配置されることを特徴とした請求項１に記載の転がり抵抗評価装置。
【請求項３】
前記封入物は、粒状体からなることを特徴とした請求項１または２に記載の転がり抵抗評価装置。
【請求項４】
二つ以上の円筒状容器と傾斜台からなる転がり抵抗の評価方法であって、
前記円筒状容器は、相互に実質的に同一の形状および材質からなり、
同一種類の封入物を実質的に同一の空隙率で封入され、
少なくとも一つの前記円筒状容器は、複数の容器内部空間に区画する仕切りを有し、
前記円筒状容器は、相互に異なる前記容器内部空間を有しており、
いずれの前記円筒状容器も、前記傾斜台の傾斜面上を実質的に同一の高さの位置から転がして、前記円筒状容器の転がった距離を測定し比較することを特徴とした転がり抵抗の評価方法。
【発明の詳細な説明】
【技術分野】
【０００１】
この発明は、円筒状容器に収納した、粒状、粉状、液状等をなす封入物の内部移動が、容器の転がり抵抗に与える影響を評価する技術を提案するものである。
【発明の概要】
【発明が解決しようとする課題】
【０００２】
この発明の目的とするところは、円筒状容器の内部に収納した封入物が内部移動することによって、円筒状の容器の転がり抵抗に与える影響を評価するための装置や方法を提供することにある。
【課題を解決するための手段】
【０００３】
この発明の転がり抵抗の評価装置は、二つ以上の円筒状容器と傾斜台からなるものであって、前記円筒状容器は、相互に実質的に同一の形状および材質からなり、同一種類の封入物を、実質的に同一の空隙率で封入され、少なくとも一つの前記円筒状容器は、複数の容器内部空間に区画する仕切りを有し、前記円筒状容器は、相互に異なる前記容器内部空間を有するものである。
ここにおいて、「実質的に同一の形状および材質」とは、容器相互の形状および材質のある程度の相違は許容する意味であり、「実質的に同一の空隙率」とは、容器相互の空隙率の、５〜１０％の誤差を許容する意味である。
また、ここでいう「空隙率」とは、容器の容積から、封入物の体積を差し引いて、これを容器の容積で割った値を百分率で表したものを意味する。
【０００４】
ここで好ましくは、前記仕切りは、前記円筒状容器の中心軸を通過して配置される。
【０００５】
また好ましくは、前記封入物は粒状体からなる。
【０００６】
この発明の転がり抵抗の評価方法は、二つ以上の円筒状容器と傾斜台からなる転がり抵抗の評価方法であって、前記円筒状容器は、相互に実質的に同一の形状および材質からなり、同一種類の封入物を実質的に同一の空隙率で封入され、少なくとも一つの前記円筒状容器は、複数の容器内部空間に区画する仕切りを有し、前記円筒状容器は、相互に異なる前記容器内部空間を有しており、いずれの前記円筒状容器も、前記傾斜台の傾斜面上を実質的に同一の高さの位置から転がして、前記円筒状容器の転がった距離を測定し比較することにある。
【発明の効果】
【０００７】
この発明の転がり抵抗の評価装置によれば、内部を複数の小空間に区画する仕切りを設けた円筒状容器と、仕切りを設けない円筒状容器とのそれぞれの内部空隙率を相互に実質的に同一なものとし、円筒状容器の転動に際し、内部に仕切りを設けた容器では、仕切りがない容器に比して、内部の封入物の、周方向の移動量を制限することにより、いずれの容器にも同じ大きさの入力を与えて転がした場合、内部に仕切りを設けた容器では、入力されたエネルギの、封入物の内部移動による消費量が相対的に少なくなるので、その分のエネルギが容器の転がりに費やされることになり、結果として、内部に仕切りを設けた容器が、仕切りがない容器によりも長い距離にわたって転がることになる。
従って、複数の容器の転がり量を比較することで、内部に封入した封入物の内部移動が、円筒状容器の転がり抵抗に与える影響を評価することができる。
【０００８】
ここで、前記仕切りは、前記円筒状容器の中心軸を通過して配置されるものとしたときは、円筒状の容器内部に、容器の転がり方向に均等な小空間を容易に形成することができ、その結果として、適正かつ正確な、容器の転がり抵抗の評価を行うことができる。
【０００９】
またここで、封入物が粒状体からなるものとしたときは、粒状体は液体や粉状体よりも径が大きいことから、内部を複数の小空間に区画した容器の仕切りを簡易なものとしてなお、粒状体の、仕切りにより区画された空間の相互の移動を十分に防止して、封入物である粒状体の内部移動による、転がり抵抗に与える影響を正確に評価することができる。
【００１０】
そしてまた、この発明の転がり抵抗の評価方法によれば、いずれの前記円筒状容器も、前記傾斜台の傾斜面上を実質的に同一の高さの位置から転がした場合に、内部を小空間に区画した容器と、区画しない容器との間に、内部封入物の移動制限に基く、転がり距離の差が生じることになるので、これらの容器の転がり距離を比較することにより円筒状容器の転がり抵抗を評価することができる。
【図面の簡単な説明】
【００１１】
【図１】この発明の実施の形態に用いる円筒状容器について示す斜視図である。
【図２】図１に示す円筒状容器を、連結前の状態について示す分解斜視図である。
【図３】他の実施の形態に用いる円筒状容器について示す横断面図である。
【図４】他の実施の形態に用いる筒状部材に、封入物を収納する状態を示す透過斜視図である。
【図５】他の実施の形態に用いる筒状部材を密封する状態を示す透過斜視図である。
【図６】この発明の装置について示す斜視図である。
【発明を実施するための形態】
【００１２】
以下に図面を参照しつつ、この発明の実施の形態を説明する。
図１（ａ）、（ｂ）はそれぞれ、この発明に用いる一の円筒状容器１および、他の円筒状容器１１のそれぞれを示す斜視図である。なおここでは、評価対象となる容器を二個の円筒状容器１、１１としたが、三個以上の円筒状容器を評価対象容器とすることもできる。
【００１３】
図示の円筒状容器１、１１は、容積、寸法および材質を互いに同一とするとともに、いずれの容器１、１１も、一端側（図では下方側）が低壁で密閉された筒状部材２、１２の他端（図では上端）に、蓋部材３、１３を締付けその他によって取付けてなるものである。
【００１４】
ここでは、図２に分解斜視図で示すように、一方の円筒状容器１の内部には、容器１の軸線方向を中心として外周側に放射状に広がる仕切り４を設け、この仕切り４によって、容器１の内部を八個の均等な小空間５に区画するのに対し、他方の円筒状部材１１の内部には、かかる仕切りを設けないものとする。
【００１５】
筒状部材２の内部のこの仕切り４は、種々の形状のものとすることができるが、たとえば、図３（ａ）に筒状部材２を横断面図で示すように、筒状部材２の軸線方向を中心として放射状をなす仕切り４によって、容器内部をたとえば四個の均等な小空間５に区画することができる他、図３（ｂ）に示すように、互いに垂直をなす複数の隔壁からなる仕切り４によって、内部を、横断面で複数の方形状等に区画することもできる。
また、図示しないが、仕切り４を構成する隔壁のそれぞれを曲面状に形成することも可能である。
【００１６】
そして、一端側を密閉した筒状部材２、１２の内側の空間に、いずれも同一種類の、たとえばプラスチックからなる複数個の球形粒状体６、１６を、その粒状体６、１６が容器内で移動できる程度の空間を残して収納した状態で、筒状部材２、１２の他端側に、蓋部材３、１３を嵌め合わせて容器１、１１を封止する。
このように、粒状体６、１６が容器内で移動できる空間を確保した状態で、粒状体６、１６を容器内に封入することで、容器１、１１の転がりに伴って、容器１、１１の内部の粒状体６、１６が、その内部を移動することができる。
【００１７】
この場合、一方の容器１の内部空隙率と、他方の容器１１の内部空隙率とが互いに実質的に同一となるように、粒状体６、１６を各容器１、１１に封入する。
なおここで、一方の容器１の内部に形成した複数の小空間５内の空隙率は、相互に等しいものとすることができるが、これら空隙率を、小空間５毎に相違するものとしてもよい。
【００１８】
またここで、容器１、１１に収納した封入物を、図では粒状体６、１６としたが、これを液体もしくは粉状体とすることも可能である。
とくに封入物を液体とした場合は、一方の容器１の内部に形成した小空間５の相互間で、液体の流動が生じるおそれのある隙間が、仕切り４と筒状部材２との間や、仕切り４を構成する隔壁の相互の間に形成されないようにすることが必要である。
【００１９】
なお、図示の円筒状容器１、１１では、筒状部材２、１２の、蓋部材３、１３への取付け側の端部に形成した雄ネジ部２Ａ、１２Ａと、蓋部材３、１３の筒状部３Ａ、１３Ａの内周面に形成した図示しない雌ネジ部とを螺合させて、それらの両部材を連結させているが、両部材は、これに限定されることなく、種々の取付け手段によって相互連結することができる。
【００２０】
ところで、この円筒状容器としては、内部に仕切りを形成することができ、且つ封入物を収納することができるものであればよく、たとえば、図４に、筒状部材の周面を透視した斜視図で例示するように、内部に仕切り２４を形成するとともに両端が閉塞された筒状部材２２および、内部に仕切りがなく両端が閉塞された筒状部材３２のそれぞれの両端面のいずれか一方に、図では円形の穴２７、３７を形成し、その穴２７、３７から容器内部に封入物２６、３６を挿入した後に、図５に示すように、穴２７、３７と略同等の大きさの、図では円盤状のほぞ部材２８、３８を、穴２７、３７を閉塞するように、筒状部材２２、３２のそれぞれの端面に嵌め込み固着させて筒状部材２２、３２を密封して、円筒状容器２１、３１を作成することもできる。
【００２１】
以上のようにして作成した二の円筒状容器１、１１は、たとえば図６に斜視図で示すように、斜面台５０の、平坦面または曲面の斜面上の、相互に同一の高さの位置に、それらの両者を配置して、この斜面上を転がすこと等によって、互いに同一の大きさの、転がり入力を付与することができる。
【００２２】
このように、いずれの円筒状容器１、１１も、傾斜台５０の、同一の高さの位置から転がして、各容器の転がった距離を測定し比較するものとしたときは、人の手で容器１、１１に入力を与えて平面上を転がす場合に比して、両容器１、１１により正確に等しい量のエネルギを与えることができるので、評価が容易なものとなるとともに、容器１、１１の転がり量、ひいては、封入物６、１６の内部移動が転がり抵抗に与える影響を、より適正に評価することができる。
【００２３】
ここで、二の容器１、１１に、相互に同じ大きさの入力を与えるためには、容器１、１１のそれぞれに、平面上のそれらに、互いに同一の力を容器の後方から加えて、それらを平面上で転がすこともできる。
【００２４】
このようにして円筒状容器１、１１を転がすと、内部の封入物、ここでは粒状体６、１６が、容器内に確保した、粒状体６、１６の移動空間を、互いに衝突等しながら移動することとなり、粒状体６、１６のこの移動によって、容器１、１１に加えた入力エネルギの一部が費やされることになる。この場合、内部に仕切り４を形成した容器１では、その仕切り４の存在の故に、粒状体６、１６のこのような内部移動が制限されるので、仕切りがない容器１１に比して、転がり移動量、すなわち、容器内部でのエネルギロスが少ないものとなる。
【００２５】
そして、この結果として、仕切り４を設けた容器１は、仕切りがない容器１１よりも長い距離を転がることになり、両容器１、１１の相互間でその転がり量に差が生じることとなるため、各容器１、１１の転がり量を測定し、比較することによって、容器内の封入物の移動が、容器の転がり量に与える影響を評価することができる。
【実施例１】
【００２６】
次に、この発明の評価装置および評価方法の効果を検証したので、以下に説明する。
【００２７】
この発明の評価装置および評価方法に用いる、内部に仕切りを設けた容器１は、図１（ａ）および図２（ａ）に示す構成とし、内部に仕切りがない容器１１は、図１（ｂ）および図２（ｂ）に示す構成とした。各部材の寸法等を表１に示す。
なお、容器１の内部空間は、仕切り４で均等な八個の小空間５に区画し、各小空間５の空隙率は互いに等しいものとした。
【００２８】
【表１】
2011089809.tif 000003
【００２９】
これらの各容器１、１１を、図６に示すような、側面視で底辺３００ｍｍ、高さ５０ｍｍの斜面台の頂点から斜面上を転がして、各容器１、１１の転がり距離を測定し、内部に仕切りを設けた容器１の転がり距離を、仕切りがない容器１１をコントロールとする指数で評価した。
その結果を表２に示す。
【００３０】
【表２】
2011089809.tif 000004
【００３１】
表２の結果から、内部に仕切り４を設けた容器１が、仕切りがない容器１１に比して長い距離にわたって転がることがわかり、このことから、この発明の装置および方法によれば、容器内部の封入物の移動による、容器の転がり抵抗を適正に評価できることがわかった。
【産業上の利用可能性】
【００３２】
この発明に係る物は販売の可能性があるので、この発明は産業上利用できるものである。
【符号の説明】
【００３３】
１、１１、２１、３１  円筒状容器
２、１２、２２、３２  筒状部材
３、１３  蓋部材
４、２４  仕切り
５、２５  小空間
６、１６、２６、３６  粒状体
２７、３７  穴
２８、３８  円盤状部材
５０  斜面台
【図１】
2011089809.tif 000005
【図２】
2011089809.tif 000006
【図３】
2011089809.tif 000007
【図４】
2011089809.tif 000008
【図５】
2011089809.tif 000009
【図６】
2011089809.tif 000010